(57)【要約】【課題】被収納物を収納ポケットから取り出した際、収納ポケットを迅速に元の形状に戻す。【解決手段】服薬管理カレンダー１０は基板本体１０Ａと、基板本体１０Ａの表面に設けられ開口１１ａを有する複数の収納ポケット１１と、各収納ポケット１１に設けられた磁石１３と、基板本体１０Ａの裏面に設けられた接点１５ｘを有する配線１５とを備える。各収納ポケット１１の表面側に追加収納ポケット２１が設けられている。【選択図】図１
2020024639.tif 000002
【特許請求の範囲】
【請求項１】
被収納物管理システムにおいて、
裏面に接点を含む配線が設けられた基板本体と、
基板本体の表面に設けられ、各々が開口を有するとともに被収納物を収納する複数の収納ポケットと、
各収納ポケットの前記開口周縁に設けられ、磁石により前記接点を導通させる導通部とを備え、
各収納ポケットの表面側に追加収納ポケットを設け、前記収納ポケット内から前記被収納物を取り出した際、前記追加収納ポケットにより、前記収納ポケットを前記基板本体側へ押し付けて前記収納ポケットを閉とする、被収納物管理システム。
【請求項２】
前記追加収納ポケットは追加開口を有し、前記追加収納ポケットと前記収納ポケットとの間に追加被収納物を収納可能とする、請求項１記載の被収納物管理システム。
【請求項３】
前記基板本体、前記収納ポケット、および前記追加収納ポケットは、プラスチックシート製となっている、請求項１または２記載の被収納物管理システム。
【請求項４】
前記導通部は、磁石および磁性体のいずれか一方を含み、前記基板本体の裏面に、前記磁石および磁性体の他方が設けられ、前記導通部は前記磁石または前記磁性体に吸引され、前記基板本体の貫通孔を介して前記接点に接触する、請求項１乃至３のいずれか記載の被収納物管理システム。
【発明の詳細な説明】
【技術分野】
【０００１】
本開示の実施の形態は、薬などの被収納物を管理する被収納物管理システムに関する。
【背景技術】
【０００２】
服薬管理を目的とした服薬管理カレンダーが知られている。例えば、特許文献１は、赤外線センサを利用してポケットから薬が取り出されたか否かを検出し、投薬の有無や時刻を管理する投薬管理システムを開示している。
【先行技術文献】
【特許文献】
【０００３】
【特許文献１】特開２０１５−１４３８９１号公報
【発明の概要】
【発明が解決しようとする課題】
【０００４】
しかしながら、特許文献１の技術では赤外線センサなどの光センサを利用しているため、外乱光などによる誤動作の可能性が高い。他方、裏面に接点を含む配線が設けられた基板本体と、この基板本体の表面側に設けられた収納ポケットとを有する服薬管理カレンダーが検討されている。この服薬管理カレンダーにおいて、収納ポケット内から薬を取り出した際、収納ポケットの開口周縁に設けられた導通部を磁力により配線の接点側へ移動させて導通させている。
しかしながら、このような服薬管理カレンダーにおいて、収納ポケット内に多量の薬を入れておくと、収納ポケットが伸びきってしまい、収納ポケット内から薬を取り出しても、収納ポケットが元の形状に戻らず、磁力によっても導通部により接点を確実に導通させることができないことがある。
【０００５】
本開示の実施の形態の課題は、収納ポケット内から被収納物を取り出した際、基板本体の配線の接点を導通部により確実に導通させることができる被収納物管理システムを提供することである。
【課題を解決するための手段】
【０００６】
本開示の実施の形態は、被収納物管理システムにおいて、裏面に接点を含む配線が設けられた基板本体と、基板本体の表面に設けられ、各々が開口を有するとともに被収納物を収納する複数の収納ポケットと、各収納ポケットの前記開口周縁に設けられ、磁石により前記接点を導通させる導通部とを備え、各収納ポケットの表面側に追加収納ポケットを設け、前記収納ポケット内から前記被収納物を取り出した際、前記追加収納ポケットにより前記収納ポケットを前記基板本体側へ押し付けて前記収納ポケットを閉とする、被収納物管理システムである。
【０００７】
本開示の実施の形態は、前記追加収納ポケットは追加開口を有し、前記追加収納ポケットと前記収納ポケットとの間に追加被収納物を収納可能とする、被収納物管理システム。
【０００８】
本開示の実施の形態は、前記基板本体、前記収納ポケット、および前記追加収納ポケットはプラスチックシート製となっている、被収納物管理システムである。
【０００９】
本開示の実施の形態は、前記導通部は、磁石および磁性体のいずれか一方を含み、前記基板本体の裏面に、前記磁石および磁性体の他方が設けられ、前記導通部は前記磁石または前記磁性体に吸引され、前記基板本体の貫通孔を介して前記接点に接触する、被収納物管理システムである。
【発明の効果】
【００１０】
本開示の実施の形態によれば、収納ポケット内から被収納物を取り出した際、追加収納ポケットにより収納ポケットを基板本体へ押し付けて収納ポケットの開口を確実に閉とすることができる。
【図面の簡単な説明】
【００１１】
【図１】図１は本開示の実施の形態に係る服薬管理カレンダーの構成を示す平面図。
【図２Ａ】図２Ａは服薬管理カレンダーの収納ポケットの部分の断面図であって薬袋が収納された状態を示す図である。
【図２Ｂ】図２Ｂは服薬管理カレンダーの収納ポケットの部分の断面図であって薬袋が取り出された状態を示す図である。
【図３】図３は収納ポケットの部分における接点の一例を示す図である。
【図４】図４は服薬管理カレンダーにおける配線の配置を示す図である。
【図５】図５は収納ポケットと追加収納ポケットを示す拡大図である。
【発明を実施するための形態】
【００１２】
以下、図面を参照しながら、本開示の実施の形態について説明する。
図１は本開示の実施の形態による被収納物管理システムとしての服薬管理カレンダーを示す平面図である。また図２Ａおよび図２Ｂは、図１に示す服薬管理カレンダーの側断面図である。
【００１３】
図１乃至図２Ｂに示すように、被収納物管理システムとしての服薬管理カレンダー１０は裏面（図１の裏側の面）に複数の接点１５ｘを有する配線１５が設けられた基板本体１０Ａと、基板本体１０Ａの表面（図１の表側の面）に設けられ、各々が開口１１ａを有するとともに被収納物としての薬袋１２を収納する複数の収納ポケット１１と、各収納ポケット１１の開口１１ａ周縁に設けられ、磁力により、接点１５ｘを導通させる磁石１３とを備えている。
【００１４】
このうち、基板本体１０Ａの表面には、一週間の各曜日毎に、朝ごはん後、昼ごはん後、夜ごはん後、寝る前の４回の服薬を管理するよう、これら各曜日の表示２、および朝ごはん後、昼ごはん後、夜ごはん後の表示３が設けられている。
【００１５】
そして、基板本体１０Ａの表面に設けられた各収納ポケット１１は、曜日の各々の表示２および朝ごはん後、昼ごはん後、夜ごはん後、寝る前の各々の表示３に対応する位置に配置されている。
【００１６】
また各収納ポケット１１の表面側に、追加収納ポケット２１が設けられ、収納ポケット１１内から薬袋１２を取り出した際、追加収納ポケット２１により収納ポケット１１を基板本体１０Ａ側へ押し付けて収納ポケット１１の開口１１ａを閉とするようになっている。
【００１７】
すなわち服薬管理カレンダー１０の基板本体１０Ａは比較的厚手のプラスチックシート製となっており、各収納ポケット１１は比較的薄手のプラスチックシート製となっている。ここで、プラスチックシートとしては、塩化ビニル、ポリプロピレン、ポリエチレンテレフタレートを用いることができる。
服薬管理カレンダー１０の各収納ポケット１１内に収納される薬袋１２の量が嵩張ると、プラスチックシート製の収納ポケット１１が伸びて保形してしまい、収納ポケット１１内から薬袋１２を取り出しても収納ポケット１１の開口が閉まらないことも考えられる。
【００１８】
この場合は、収納ポケット１１の開口１１ａ周縁に設けられた磁石１３が後述のように基板本体１０Ａ側へ移動できず、配線１５の接点１５ｘを導通させることができなくなる。
【００１９】
このため収納ポケット１１に加えて、各収納ポケット１１の表面側に、収納ポケット１１と同様の材料（プラスチックシート製）からなり、開口２１ａを有する追加収納ポケット２１が設けられている。そして収納ポケット１１内から薬袋１２を取り出した際、追加収納ポケット２１により収納ポケット１１を基板本体１０Ａ側へ押し付けて、収納ポケット１１の開口１１ａを閉とするようになっている。
【００２０】
このように追加収納ポケット２１により収納ポケット１１を効果的に基板本体１０Ａ側へ押し付けることができるよう、追加収納ポケット２１は、図１乃至図２Ｂおよび図５に示す構造をもつ。
【００２１】
図１乃至図２Ｂおよび図５に示すように、基板本体１０Ａの表面側に複数の収納ポケット１１が設けられ、各収納ポケット１１の表面側に追加収納ポケット２１が設けられている。この場合、収納ポケット１１の高さをｈ１とし、追加収納ポケット２１の高さをｈ２としたとき、ｈ２＜ｈ１となっていることが好ましく、より好ましいｈ１とｈ２の関係は０．３×ｈ１＜ｈ２＜０．７×ｈ１となっている。
【００２２】
この場合、ｈ２＞０．７×ｈ１となると、収納ポケット１１内に薬袋１２を収納した際、収納ポケット１１とともに追加収納ポケット２１も同様に伸びてしまい、追加収納ポケット２１から収納ポケット１１に対して押し付け力を加えることがむずかしくなる。
他方、追加収納ポケット２１と収納ポケット１１との間に追加被収納物、例えばカード状ラベル２２等の追加被収納物を収納することあり、この場合は追加収納ポケット２１側から収納ポケット１１に対して大きな押し付け力を与えることができる。この際、ｈ２＜０．３×ｈ１とすると、追加収納ポケット２１の高さが小さすぎて追加収納ポケット２１内にカード状ラベル２２を収納することがむずかしくなってしまう。
【００２３】
なお、追加被収納物として、カード状ラベル２２に限らず、他の内容物、例えば服薬管理が不要な一般的漢方薬等を追加被収納物として追加収納ポケット２１内に収納してもよい。
【００２４】
次に基板本体１０Ａの裏面に設けられた配線１５、および磁石１３と吸引する磁性体（金属板）１７について図２Ａおよび図２Ｂにより説明する。
【００２５】
ここで図２Ａおよび図２Ｂは、服薬管理カレンダー１０における収納ポケット１１を示す断面図、具体的には図１におけるＸ１−Ｘ２断面による断面図であり、このうち図２Ａは収納ポケット１１から薬袋１２が取り出される前の状態を示し、図２Ｂは収納ポケット１１から薬袋１２が取り出された後の状態を示す。
【００２６】
図１、図２Ａおよび図２Ｂに示すように、服薬管理カレンダー１０の基板本体１０Ａは、図１に示す服薬管理カレンダー１０の全体形状と同一の矩形形状である。基板本体１０Ａの裏面には、配線１５が形成される。本実施の形態では、配線１５は、導電性を有するインクなどの塗料を絶縁体シート１５Ａの面上に印刷することにより形成され、配線１５が印刷された絶縁体シート１５Ａが、配線１５を基板本体１０Ａ側に向けて基板本体１０Ａに貼り付けられている。また基板本体１０Ａは厚手の塩化ビニル製となっており、絶縁体シート１５Ａはポリエチレンテレフタレート（ＰＥＴ）製となっている。このため服薬管理カレンダー１０全体に可撓性を持たせ、丸めて持ち運びができるようになる。
【００２７】
各収納ポケット１１の開口１１ａ周縁には収納ポケット１１から薬袋１２が取り出されたとき、これを検知する磁石１３が設けられ、この磁石１３は、配線１５の一部として配線１５と一緒に形成された接点１５ｘを、導通させる導通部として機能する。
配線１５は、接点１５ｘの領域を除いて、基板本体１０Ａにより覆われる。具体的には、基板本体１０Ａは、各収納ポケット１１に対応する位置に貫通孔１０Ｂを有し、配線１５のうち、接点１５ｘは貫通孔１０Ｂを介して基板本体１０Ａの表面側へ露出している。
【００２８】
また、各収納ポケット１１の内側には、上述のように収納ポケット１１の開口１１ａ周縁に磁石１３が設けられ、この磁石１３は、磁石１３の内側の面、即ち、基板本体１０Ａ側の面に形成された導電面１３ｘを有する。そして導電面１３ｘは、例えば磁石１３の面に導電性の塗料を塗布することにより形成される。なお、磁石１３の表面に金属板などを貼り付けて導電面１３ｘを形成してもよい。一方、絶縁体シート１５Ａの裏面、即ち、基板本体１０Ａと反対側の面には、磁性体として機能する金属板１７が貼り付けられている。
【００２９】
このように導電面１３ｘを有する磁石１３は導電部として機能するが、磁石１３が十分な導電性をもつ場合、金属版あるいは導電性塗料等からなる導電面１３ｘは必ずしも設ける必要はない。
【００３０】
また金属板１７の代わりに、磁性体として導電材料を練り込んだ合成樹脂材を用いてもよい。
【００３１】
次に図３により、配線１５の接点１５ｘについて述べる。
図３は、１つの収納ポケット１１の部分における配線１５の接点１５ｘの一例を示す図である。具体的には、図３は、図２Ａにおける矢印Ａ方向からみた図１における破線領域４０を見た図であり、磁石１３についてはその輪郭のみを破線で示している。図３に示すように基板本体１０Ａには、収納ポケット１１の位置に貫通孔１０Ｂが設けられており、貫通孔１０Ｂ内の領域には配線１５の一部が接点１５ｘとして形成されている。図３の例では、接点１５ｘは櫛歯状又は島状に形成された２つの接点部分１５ｘａ、１５ｘｂにより構成されている。そして、磁石１３は、貫通孔１０Ｂの位置、即ち、接点１５ｘが露出している領域と対向する位置に来るように収納ポケット１１の内側であって収納ポケット１１の開口１１ａ周縁に取り付けられている。
【００３２】
絶縁体シート１５Ａに形成された配線１５の一部である接点１５ｘは、電気的スイッチの２つの接点部分１５ｘａ、１５ｘｂを有し、磁石１３に設けられた導電面１３ｘはその２つの接点部分１５ｘａ、１５ｘｂを導通させるための導電面として機能する。
【００３３】
次に図４により、服薬管理カレンダー１０における配線１５の配置例を示す。具体的には、図４は、基板本体１０Ａが透明であるものとし、服薬管理カレンダー１０を図２における矢印Ａの方向から見た図である。服薬管理カレンダー１０の基板本体１０Ａには、電子回路を備える回路モジュール３１が設けられている。回路モジュール３１は、時計機能を備える日時記憶回路３２と、外部との無線通信のための通信モジュール３３とを備える。通信モジュール３３は、例えばＮＦＣタグなどにより構成される。
【００３４】
絶縁体シート１５Ａ上には、回路モジュール３１から各収納ポケット１１の位置の接点１５ｘの接点部分１５ｘａまで伸びるように配線１５ａが形成されている。一方、接点１５ｘの接点部分１５ｘｂは、共通のグランド（ＧＮＤ）配線１５ｇに接続されている。配線１５ａ、１５ｇと回路モジュール３１の端子とは、例えば熱圧着により電気的に接続される。なお、図４では、各接点１５ｘの位置に、磁石１３を破線で示している。
【００３５】
収納ポケット１１から薬袋１２が取り出され、スイッチがオン状態になると、その信号が配線１５を通じて回路モジュール３１に送られる。日時記憶回路３２は、スイッチがオンになった日時、即ち、薬袋１２が取り出された日時（以下、「取出し日時」と呼ぶ。）を記憶する。通信モジュール３３は、外部の端末装置４５と無線通信可能であり、端末装置４５からの要求に応じて、日時記憶回路３２に記憶されている取出し日時を端末装置４５へ送信する。このようにして、薬袋１２の取出し日時を端末装置４５で管理することができる。なお、端末装置４５は、図４に示すような携帯端末の他、タブレット型端末や通常のＰＣなどであってもよい。また、端末装置４５が取得した取出し日時の情報をさらに図示しないサーバなどに送信し、複数の患者の服薬状況を統括的に管理することもできる。
【００３６】
なお、上記実施の形態において、収納ポケット１１に磁石１３を設け、絶縁体シート１５Ａの裏側に金属板１７を設けているが、収納ポケット１１に金属板１７を設け、絶縁体シート１４の裏側に磁石１３を設けても良い。
【００３７】
次にこのような構成からなる本実施の形態の作用について説明する。
図１乃至図２Ｂに示す服薬管理カレンダー１０において、薬を服用する患者は、服薬日時に対応する薬袋１２を収納ポケット１１から取出し服用する。なお、患者に対する投薬を管理する管理者が薬袋１２を収納ポケット１１から取出し、患者に服用させる場合もある。
【００３８】
具体的には、図２Ａに示すように収納ポケット１１に薬袋１２が収納されている状態では、薬袋１２により収納ポケット１１が膨らむ。また、磁石１３と接点１５ｘとの間には絶縁体である薬袋１２が介在し、磁石１３が接点１５ｘから離れているため、２つの接点部分１５ｘａ、１５ｘｂが導通することはない。このため、接点１５ｘはオフ状態となっている。なお、図２Ａにおいては説明の便宜上、金属板１７が磁石１３に吸着されておらず、磁石１３と金属板１７との間に空間が存在している状態を示している。実際には、磁石１３の磁力（吸着力）次第で、金属板１７が磁石１３に吸着されることになるが、それでも磁石１３と接点１５ｘとの間には絶縁体の薬袋１２が存在しているため、接点部分１５ｘａと１５ｘｂが導通することはない。このとき、図２Ａに示すように追加収納ポケット２１内、すなわち追加収納ポケット２１と収納ポケット１１との間には、カード状ラベル２２が収納されている。
【００３９】
次に、図２Ｂに示すように、薬袋１２が収納ポケット１１から取り出された後は、磁石１３と接点１５ｘとの間に介在するものが無くなる。
【００４０】
同時に、薬袋１２により膨らんだ収納ポケット１１が元の形状まで戻って基板本体１０Ａ側へ移行する。このとき追加収納ポケット２１内にカード状ラベル２２が収納されているため、カード状ラベル２２が収納された追加収納ポケット２１側から収納ポケット１１側へ効果的に押し付け力が働く。このことにより薬袋１２により膨らんだ収納ポケット１１を元の形状まで戻して、基板本体１０Ａ側へ確実に移行して収納ポケット１１の開口１１ａを閉じることができる。
【００４１】
このように収納ポケット１１が基板本体１０Ａ側へ移行し、収納ポケット１１に取り付けられている磁石１３も基板本体１０Ａ側へ移行する。このことにより、磁石１３の導電面１３ｘと接点１５ｘとが接触する。このことにより、磁石１３の導電面１３ｘが接点部分１５ｘａと１５ｘｂを導通させ、スイッチがオン状態となる。こうして、収納ポケット１１から薬袋１２が取り出されたことを検知することができる。
【００４２】
なお、上記実施の形態において追加収納ポケット２１内にカード状ラベル２２を収納した例を示したが、追加収納ポケット２１内に必ずしもカード状ラベル２２を収納する必要はなく、追加収納ポケット２１内を空にしておいてもよい。
【実施例】
【００４３】
次に本実施の形態の具体的実施例について説明する。
（１）実施例１
本実施例において、収納ポケット１１および追加収納ポケット２１として、０．２ｍｍ厚の塩化ビニル製のものを用い、収納ポケット１１の磁石１３として厚み２ｍｍ、および厚み３ｍｍのものを各々用いた。
この場合、収納ポケット１１内に薬袋１２を収納するとともに、追加収納ポケット２１内には追加収納物を収納しなかった。
この状態で収納ポケット１１内から薬袋１２を取り出した。薬袋１２により膨らんだ収納ポケット１１は除々に元の形状に戻り、基板本体１０Ａ側へ移行し、収納ポケット１１の開口１１ａが閉となった。
収納ポケット１１から薬袋を取り出してから収納ポケット１１の開口１１ａが閉となるまで、２ｍｍの厚さの磁石１３の場合で、２６秒、３ｍｍの厚さの磁石１３の場合で２１秒かかった。
【００４４】
（２）実施例２
次に収納ポケット１１および追加収納ポケット２１として、０．３ｍｍ厚の塩化ビニル製のものを用い、収納ポケット１１の磁石１３として厚み２ｍｍ、および厚み３ｍｍのものを各々用いた。
この場合、収納ポケット１１内に薬袋１２を収納するとともに、追加収納ポケット２１内には追加収納物を収納しなかった。
この状態で収納ポケット１１内から薬袋１２を取り出した。薬袋１２により膨らんだ収納ポケット１１は除々に元の形状に戻り、基板本体１０Ａ側へ移行し、収納ポケット１１の開口１１ａが閉となった。
収納ポケット１１から薬袋を取り出してから収納ポケット１１の開口１１ａが閉となるまで、２ｍｍの厚さの磁石１３の場合で、２８秒、３ｍｍの厚さの磁石１３の場合で、２１秒かかった。
【００４５】
（３）実施例３
次に収納ポケット１１および追加収納ポケット２１として、０．２ｍｍ厚の塩化ビニル製のものを用い、収納ポケット１１の磁石１３として厚み２ｍｍ、および厚み３ｍｍのものを各々用いた。
この場合、収納ポケット１１内に薬袋１２を収納するとともに、追加収納ポケット２１内にも服薬管理が不要な一般的漢方薬を追加収納物として収納した。
この状態で収納ポケット１１内から薬袋１２を取り出した。薬袋１２により膨らんだ収納ポケット１１は除々に元の形状に戻り、基板本体１０Ａ側へ移行し、収納ポケット１１の開口１１ａが閉となった。
収納ポケット１１から薬袋を取り出してから収納ポケット１１の開口１１ａが閉となるまで、２ｍｍの厚さの磁石１３の場合で、１２秒、３ｍｍの厚さの磁石１３の場合で、５秒かかった。
【００４６】
（４）実施例４
次に、収納ポケット１１および追加収納ポケット２１として、０．３ｍｍ厚の塩化ビニル製のものを用い、収納ポケット１１の磁石１３として厚み２ｍｍ、および厚み３ｍｍのものを各々用いた。
この場合、収納ポケット１１内に薬袋１２を収納するとともに、追加収納ポケット２１内にも服薬管理が不要な一般的な漢方薬を追加収納物として収納した。
この状態で収納ポケット１１内から薬袋１２を取り出した。薬袋１２により膨らんだ収納ポケット１１は除々に元の形状に戻り、基板本体１０Ａ側へ移行し、収納ポケット１１の開口１１ａが閉となった。
収納ポケット１１から薬袋を取り出してから収納ポケット１１の開口１１ａが閉となるまで、２ｍｍの厚さの磁石１３の場合で５秒、３ｍｍの厚さの磁石１３の場合で３秒かかった。
【００４７】
（５）比較例
次に比較例として基板本体１０Ａに収納ポケット１１を設けるとともに、収納ポケット１１に追加収納ポケット２１を設けていない服薬管理カレンダー１０を準備した。
比較例の服薬管理カレンダー１０の収納ポケット１１として、０．２ｍｍ厚の塩化ビニル製のものを用い、収納ポケット１１の磁石１３として厚み２ｍｍ、および厚み３ｍｍのものを各々用いた。収納ポケット１１内に薬袋１２を収納した。
この状態で収納ポケット１１内から薬袋１２を取り出した。薬袋１２により膨らんだ収納ポケット１１は除々に元の形状に戻り、基板本体１０Ａ側へ移行し、収納ポケット１１の開口１１ａが閉となった。
収納ポケット１１から薬袋を取り出してから収納ポケット１１の開口１１ａが閉となるまで、２ｍｍの厚さの磁石１３の場合で６０秒以上、３ｍｍの厚さの磁石１３の場合で６０秒以上かかった。
【００４８】
以上のような実施例および比較例の結果を下表に示す。
【表１】
2020024639.tif 000003
上記表から明らかなように、本実施の形態によれば薬袋１２を取り出した後、収納ポケット１１を迅速に元の形状に戻して、収納ポケット１１の開口１１ａを閉じることができる。
【符号の説明】
【００４９】
１０  服薬管理カレンダー
１０Ａ  基板本体
１１  収納ポケット
１２  薬袋
１３  磁石
１５  配線
１５Ａ  絶縁体シート
１５ｘ  接点
１７  金属板
２１  追加収納ポケット
２１ａ  開口
２２  カード状ラベル
【図１】
2020024639.tif 000004
【図２Ａ】
2020024639.tif 000005
【図２Ｂ】
2020024639.tif 000006
【図３】
2020024639.tif 000007
【図４】
2020024639.tif 000008
【図５】
2020024639.tif 000009